(57)【要約】【課題】  本発明の目的は、照明器具等の種々の器具を形鋼から吊り下げ支持する器具支持装置であって、形鋼への取り付けが容易であり、且つ種々の形鋼へ取り付けることが可能な、器具支持装置を提供する。【解決手段】  形鋼１に器具を取り付けるための器具支持装置１０であって、形鋼１に外側から係合する略Ｃ字形の金具本体１１と、全周にねじ切りされた雄ねじ部材１２と、を備え、金具本体１１の底面１１ａにはねじ孔１１ｆが形成され、底面１１ａに対向する上面１１ｃには、自由端側を底面１１ａ側に向けて略直角に折曲してなる端部片１１ｅが形成され、ねじ孔１１ｆには雄ねじ部材１２の一端部１２ａ側が螺合されると共に、他端１２ｂ側が金具本体１１から垂下され、雄ねじ部材１２のねじ孔１１ｆから金具本体１１内へ延出した端部１２ａと、金具本体１１の上面１１ｃ側とで形鋼１を挟持することにより形鋼１に固定される。【選択図】  図１
2006010022.tif 000002
【特許請求の範囲】
【請求項１】
形鋼に器具を取り付けるための器具支持装置であって、
前記形鋼に外側から係合する略Ｃ字形の金具本体と、全周にねじ切りされた雄ねじ部材と、を備え、
前記金具本体の底面にはねじ孔が形成され、前記底面に対向する上面には、自由端側を前記底面側に向けて略直角に折曲してなる端部片が形成され、
前記ねじ孔には前記雄ねじ部材の一端部側が螺合されると共に、他端側が前記金具本体から垂下され、
前記雄ねじ部材の前記ねじ孔から前記金具本体内へ延出した端部と、前記金具本体の上面側とで前記形鋼を挟持することにより前記形鋼に固定されることを特徴とする器具支持装置。
【請求項２】
前記底面には、自由端側を前記上面側に向けて略直角に折曲してなる端部片が形成されたことを特徴とする請求項１記載の器具支持装置。
【請求項３】
前記端部片は、前記雄ねじ部材と金具本体とで前記形鋼を挟持したときに、前記雄ねじ部材の前記金具本体内へ延出した長さよりも短く形成されていることを特徴とする請求項１または２記載の器具支持装置。
【発明の詳細な説明】
【技術分野】
【０００１】
本発明は照明器具等の種々の器具を保持するための器具支持装置に関し、特に天井近傍に下地材として配設された形鋼から、器具を吊り下げ支持するための器具支持装置に関する。
【背景技術】
【０００２】
住宅等の建物において、天井の下地材として配設された形鋼から、照明器具等の種々の器具を吊り下げ支持することが行われている。器具は、形鋼に取付可能な支持装置により吊り下げ支持される。
図８は、従来の器具支持装置の一例を示すものである。従来の器具支持装置は、形鋼に固定される金具本体１１１と、この金具本体１１１に一端が取着された吊りボルト１１２とを備えて構成されている。金具本体１１１には切り欠き１１３が設けられており、この切り欠き１１３をリップ溝形鋼１０１のリップ部１０２に係合させることにより、リップ溝形鋼１０１への固定がなされている。
照明器具等の器具は、吊りボルト１１２の他端側に固定され、吊り下げ保持される。
【０００３】
上記従来の器具支持装置によれば、形鋼から照明器具等を吊り下げ支持することが可能である。しかし、上記器具支持装置は、金具本体１１１の切り欠き１１３をリップ溝形鋼１０１のリップ部１０２に引っ掛けて取り付ける構成であるため、リップ部１０２を有さない構成の形鋼には取り付けることができないという不都合があった。
一方、リップ溝形鋼以外の形鋼にも取付可能な支持装置が提案されている（例えば、特許文献１参照）。
【特許文献１】特開平１０−２３１８２５号公報（図２）
【発明の開示】
【発明が解決しようとする課題】
【０００４】
上記特許文献１に開示された器具支持装置は、側面コ字状の金具本体と、この金具本体に取着されたボルトとを備えて構成されている。
金具本体は、コ字形の開口部が形鋼側を向くように配設される。金具本体は、上記開口部で形鋼のエッジを挟む位置に保持される。そして、金具本体１１の上方から取付ネジがねじ込まれ、この取付ネジにより形鋼に固定される。
【０００５】
特許文献１に開示された器具支持装置によれば、Ｌ形鋼、溝形鋼、リップ溝形鋼など、種々の形鋼へ取り付けることが可能である。
しかし、特許文献１に開示された器具支持装置は、金具本体を形鋼に固定するときに、天井側から取付ネジをねじ込む構成とされているため、作業時には金具本体よりも上方まで手を伸ばして、取付ネジをねじ込む必要があり、取り付けに労力を要するという不都合があった。
また、形鋼のエッジを挟持して固定される構成であるため、エッジに十分な長さがない場合には、取り付けることが困難であるという不都合があった。
さらに、特許文献１に開示された器具支持装置は、金具本体の開口部に形鋼のエッジを挟んで配設される構成とされているため、金具本体の開口部側を必ず形鋼側に向けて配設する必要があり、個々の器具支持装置の取り付け時に、設置する向きの確認が必要であり、手間がかかるという不都合があった。
本発明の目的は、照明器具等の種々の器具を形鋼から吊り下げ支持する器具支持装置であって、形鋼への取り付けが容易であり、且つ種々の形鋼へ取り付けることが可能な、器具支持装置を提供することにある。
【課題を解決するための手段】
【０００６】
前記課題は、請求項１に係る器具支持装置によれば、形鋼に器具を取り付けるための器具支持装置であって、前記形鋼に外側から係合する略Ｃ字形の金具本体と、全周にねじ切りされた雄ねじ部材と、を備え、前記金具本体の底面にはねじ孔が形成され、前記底面に対向する上面には、自由端側を前記底面側に向けて略直角に折曲してなる端部片が形成され、前記ねじ孔には前記雄ねじ部材の一端部側が螺合されると共に、他端側が前記金具本体から垂下され、前記雄ねじ部材の前記ねじ孔から前記金具本体内へ延出した端部と、前記金具本体の上面側とで前記形鋼を挟持することにより前記形鋼に固定される、ことにより解決される。
【０００７】
本発明の器具支持装置によれば、略Ｃ字形の金具本体を備え、この金具本体を形鋼の外側から係合させて形鋼に取り付けるように構成されている。本発明の器具支持装置では、形鋼に金具本体を取り付けるときに、金具本体を形鋼の外側に引っ掛けるだけで良いため、取り付けが容易である。
また、金具本体を形鋼の外側から係合させ、雄ねじ部材の端部と、金具本体の上面側とで形鋼を挟持することにより固定する構成とされているため、溝形鋼であっても、或いはリップ溝形鋼であっても取り付けることが可能である。
さらに、金具本体が形鋼の外側から係合され、雄ねじ部材と金具本体とで形鋼を挟持して固定させる構成であるため、形鋼の側面側の形状は取り付けに影響しない。したがって、形鋼の左右どちら側からでも取り付けが可能である。
さらにまた、金具本体に雄ねじ部材が取り付けられ、この雄ねじ部材を金具本体内にねじ込むことにより、雄ねじ部材と金具本体とで形鋼が挟持され、金具本体が形鋼に固着されるように構成されている。雄ねじ部材は金具本体から垂下した構成とされているので、雄ねじ部材のねじ込み作業を下方から行うことができ、作業者は無理のない作業姿勢で、器具支持装置の取り付けを行うことが可能となる。
【０００８】
なお、前記底面には、自由端側を前記上面側に向けて略直角に折曲してなる端部片が形成されていると、器具支持装置を形鋼により確実に取り付けることができ好適である。
また、前記端部片は、前記前記雄ねじ部材と金具本体とで前記形鋼を挟持したときに、前記雄ねじ部材の前記金具本体内へ延出した長さよりも短く形成されていると好適である。
端部片が短く形成されていることにより、金具本体の開口を大きく取ることができ、形鋼への係合が容易となり好適である。
【発明の効果】
【０００９】
以上のように、本発明の器具支持装置によれば、形鋼の形状を問わず、溝形鋼、リップ溝形鋼、断面ロ字形の形鋼、断面矩形の中実の形鋼等、種々の形鋼に取り付けることができ、高い汎用性で使用することが可能である。
また、本発明の器具支持装置は、形鋼の左右どちら側からでも取り付けが可能であり、作業に手間がかからず好適である。
さらに、雄ねじ部材をねじ込んで器具支持装置を形鋼に固定するとき、下方から作業が容易にできるように構成されているので、効率良く、取り付けを行うことが可能である。
【発明を実施するための最良の形態】
【００１０】
以下、本発明の一実施形態について、図を参照して説明する。なお、以下に説明する部材、配置等は、本発明を限定するものではなく、本発明の趣旨に沿って各種改変することができることは勿論である。図１は本実施形態に係る器具支持装置を示す斜視図、図２は金具本体を示す斜視図、図３は金具本体の他の実施形態を示す説明図、図４乃至図７は器具支持装置を形鋼に取着する工程を示す断面図である。
【００１１】
本発明の器具支持装置は、建造物内において、天井近傍に下地材として配設された形鋼から、照明器具などの種々の器具を吊り下げ支持するために用いられるものである。
本例の器具支持装置１０は、図１に示すように、形鋼１に取り付けられる金具本体１１と、全周にねじ切りされた雄ねじ部材１２とから構成されている。雄ねじ部材１２は、一端部側が金具本体１１に螺合され、他端側が下方に垂下されて配設されている。雄ねじ部材１２の他方の端部１２ｂには、図示しないナットや係止部材を介して、照明器具等の種々の器具が取り付けられる。
【００１２】
金具本体１１は、亜鉛系，アルミニウム系等のメッキ鋼板、ステンレススチール鋼板等の帯板状の金属板からなり、この金属板を略Ｃ字状に屈曲することにより形成されている。
金具本体１１は、底面１１ａと、この底面１１ａに垂直に設けられた側面１１ｂと、底面１１ａに水平に設けられた上面１１ｃとを備えて形成されている。
底面１１ａは、器具支持装置１０を形鋼１に取り付けたときに、下側に位置するものである。
側面１１ｂは、金具本体１１が形鋼１に係合したときに、形鋼１の左右側の側面に接して位置するものである。側面１１ｂは、金具本体１１が形鋼１に係合可能となるために十分な長さを備えて形成されている。
上面１１ｃは底面１１ａと略平行であり、底面１１ａと対称に形成されている。上面１１ｃは、器具支持装置１０を形鋼１に固定したときに、雄ねじ部材１２との間で形鋼１を挟持するものである。
【００１３】
底面１１ａには、雄ねじ部材１２の一端部側を螺合するためのねじ孔１１ｆが設けられている。
ねじ孔１１ｆは、図２に示すように、金具本体１１の底面１１ａから外側に膨出して設けられている。ねじ孔１１ｆの内側には、雌ねじ部１１ｈが形成されている。この雌ねじ部１１ｈに雄ねじ部材１２が螺合して、雄ねじ部材１２が金具本体１１に接続される。
なお、図３に示すように、ねじ孔１１ｆを、金具本体１１の上面１１ｃ側にも設けた構成としても良い。
このように、ねじ孔１１ｆを両側に設けることにより、雄ねじ部材１２を金具本体１１にセットするときに、底面１１ａ側と上面１１ｃ側のどちらであっても取り付けることができ、効率良く雄ねじ部材１２のセットを行うことが可能となる。
【００１４】
金具本体１１の自由端側、すなわち底面１１ａと上面１１ｃの先端部側には、端部片１１ｄ，１１ｅが対向するように立設されている。
端部片１１ｄ，１１ｅは、器具支持装置１０を形鋼１に係合させたときに、形鋼１を押さえて保持するものである。
本例では、端部片１１ｄ，１１ｅは、底面１１ａ，上面１１ｃと略直角をなすように設けられている。なお、端部片１１ｄ，１１ｅは、上記のように底面１１ａ，上面１１ｃと直角をなすのではなく、鋭角または鈍角をなすように設けられていても良い。
本例の端部片１１ｄ，１１ｅは略同一の長さに形成されている。端部片１１ｄ，１１ｅは、金具本体１１を形鋼１に係合させたときに、外側から形鋼１を押さえることが可能な長さであれば良く、底面１１ａ，上面１１ｃから若干突出する程度に形成されている。
より具体的には、端部片１１ｄ，１１ｅは、図１に示すように、金具本体１１と雄ねじ部材１２とで形鋼１を挟持したときに、雄ねじ部材１２が金具本体１１内に延出する長さよりも、短くなるように形成されていると好適である。
このように、端部片１１ｄ，１１ｅを短めに形成することにより、金具本体１１の開口部１１ｇを広めに取ることができ、形鋼１への係合を容易に行うことが可能となる。
【００１５】
なお、底面１１ａ側の端部片１１ｄよりも、上面１１ｃ側の端部片１１ｅの方が若干長めに形成されているとより好ましい。
或いは、上面１１ｃ側の端部片１１ｅのみ形成し、底面１１ａ側の端部片１１ｄは設けない構成としても良い。
これは、本例の器具支持装置１０を形鋼１に取り付けるときに、端部片１１ｅを形鋼１に引っ掛けて係合させる構成とされているためである。端部片１１ｅをより長く形成することにより、端部片１１ｅを形鋼１に簡単且つ確実に係合させることが可能となる。
また、端部片１１ｅを若干長めに形成することにより、器具支持装置１０を形鋼１に取り付けた後で、万一、器具支持装置１０と形鋼１との間でズレが生じた場合であっても、端部片１１ｅが形鋼１の外側に係合して、器具支持装置１０との係合状態が保持される。
【００１６】
次に、本例の器具支持装置１０の使用方法を説明する。
先ず、金具本体１１を形鋼１に係合させる。本例では、器具支持装置１０を溝形鋼に取り付ける例を示している。器具支持装置１０を形鋼１に係合させるときは、雄ねじ部材１２の端部１２ａが、底板１１ａのねじ孔１１ｆからわずかに突出した状態としておく。
そして、図４に示すように、矢印方向に向けて器具支持装置１０を形鋼１側にスライドさせる。なお、より取り付け易くするために、器具支持装置１０を形鋼１に対して傾けた状態としながら、形鋼１に係合させるようにしても良い。
【００１７】
次いで、図５に示すように、金具本体１１の上面１１ｃを形鋼１に引っ掛けて、器具支持装置１０を形鋼１に係合させる。
さらに、図６に示すように、雄ねじ部材１２を回転させ、形鋼１に向けてねじ込む。雄ねじ部材１２は、一方の端部１２ａが形鋼１に接触し、形鋼１が、金具本体１１の上面１１ｃと、雄ねじ部材１２の端部１２ａの両方に圧着されるまでねじ込まれる。
このようにして、雄ねじ部材１２の一方の端部１２ａと、金具本体１１の上面１１ｃとの間において形鋼１が挟持され、器具支持装置１０が形鋼１に固定される。
器具支持装置１０が形鋼１に固定されたら、雄ねじ部材１２の他方の端部１２ｂに、照明器具等の種々の器具を取り付ける。
【００１８】
本例の器具支持装置１０は、形鋼１の外側から係合され、雄ねじ部材１２と金具本体１１とで形鋼１を挟持して、形鋼１に固定される構成であるため、形鋼１の側面形状に係わらず、形鋼１の左右どちら側からでも取り付けが可能である。
したがって、図７に示すように、形鋼１の反対側から取り付けても、形鋼１に固定することが可能である。
【００１９】
なお、上記実施例では、器具支持装置１０を溝形鋼に取り付けた例を示したが、溝形鋼に限らず、リップ溝形鋼、断面ロ字形の形鋼、断面矩形の中実の形鋼等にもそれぞれ取り付け可能である。
このように、本例の器具支持装置１０は、金具本体１１を形鋼１の外側から係合させ、雄ねじ部材１２の一方の端部１２ａと、金具本体１１の上面１１ｃとで形鋼を挟持して固定される構成とされているため、形鋼１の形状にかかわらず、形鋼１に取り付けることが可能である。
【図面の簡単な説明】
【００２０】
【図１】本発明に係る器具支持装置を示す斜視図である。
【図２】本発明に係る器具支持装置の金具本体を示す斜視図である。
【図３】金具本体の他の実施形態を示す説明図である。
【図４】器具支持装置を形鋼に取着する工程を示す断面図である。
【図５】器具支持装置を形鋼に取着する工程を示す断面図である。
【図６】器具支持装置を形鋼に取着する工程を示す断面図である。
【図７】器具支持装置を形鋼に取着する工程を示す断面図である。
【図８】従来例を示す説明図である。
【符号の説明】
【００２１】
１  形鋼
１０  器具支持装置
１１  金具本体
１１ａ  底面
１１ｂ  側面
１１ｃ  上面
１１ｄ，１１ｅ  端部片
１１ｆ  ねじ孔
１１ｇ  開口部
１１ｈ  雌ねじ部
１２  雄ねじ部材
１２ａ，１２ｂ  雄ねじ部材の端部
【図１】
2006010022.tif 000003
【図２】
2006010022.tif 000004
【図３】
2006010022.tif 000005
【図４】
2006010022.tif 000006
【図５】
2006010022.tif 000007
【図６】
2006010022.tif 000008
【図７】
2006010022.tif 000009
【図８】
2006010022.tif 000010